(57)【要約】【課題】表示記録媒体の挿入方向の判定用に着色や切欠き等を表示記録媒体に施さなくても、表示記録媒体の挿入方向を判定することが可能な書込み装置及び媒体挿入方向の判定方法を提供する。【解決手段】この書込み装置１００は、所定の位置に一対の受電端子２０６Ａ，２０６Ｂを有する表示記録媒体２の先端を検出する先端検出部６と、先端検出部６によって先端が検出された表示記録媒体２を書込み位置に搬送する搬送部と、搬送部によって書込み位置に搬送中に表示記録媒体２に光を照射してその反射光の光量を検出する光量検出部３０と、先端検出部６によって先端が検出されてから所定の時間経過したとき、光量検出部３０により検出された光量と基準値とを比較し、この比較結果に基づいて表示記録媒体２の挿入方向の正誤判定を行う判定部とを備える。【選択図】図１
2007334234.tif 000002
【特許請求の範囲】
【請求項１】
所定の位置に一対の受電端子を有する表示記録媒体の先端を検出する先端検出部と、
前記先端検出部によって先端が検出された前記表示記録媒体を書込み位置に搬送する搬送部と、
前記搬送部によって前記書込み位置に搬送された前記表示記録媒体の前記一対の受電端子に接触する一対の給電端子と、
前記一対の給電端子を介して前記一対の受電端子間に電圧を印加する電圧印加部と、
前記書込み位置に位置する前記表示記録媒体に画像データに基づく画像光を照射する光照射部と、
前記先端検出部による前記表示記録媒体の先端検出時から所定の時間経過したとき、前記表示記録媒体の前記一対の受電端子のうち少なくとも一方の受電端子に光を照射してその反射光の光量を検出する光量検出部と、
前記光量検出部により検出された前記光量と基準値とを比較し、この比較結果に基づいて前記表示記録媒体の挿入方向の正誤判定を行う判定部とを備えたことを特徴とする書込み装置。
【請求項２】
前記判定部は、前記光量が前記基準値より大きいとき、前記表示記録媒体の挿入方向は正しいと判定することを特徴とする請求項１に記載の書込み装置。
【請求項３】
前記判定部は、前記光量が前記基準値より小さいとき、前記表示記録媒体の挿入方向は正しいと判定することを特徴とする請求項１に記載の書込み装置。
【請求項４】
前記光量検出部は、前記先端検出時から所定の時間経過したときに第１の光量を検出し、前記第１の光量検出前または後であって前記先端検出時から所定の時間経過したときに第２の光量を検出し、
前記判定部は、前記第１の光量と第１の基準値とを比較し、前記第１の光量と前記第２の光量との光量差と第２の基準値とを比較し、両比較結果に基づいて前記正誤判定を行うことを特徴とする請求項１に記載の書込み装置。
【請求項５】
前記判定部は、前記第１の光量が前記第１の基準値より大きく、前記光量差が前記第２の基準値より大きいとき、前記表示記録媒体の挿入方向は正しいと判定することを特徴とする請求項４に記載の書込み装置。
【請求項６】
前記判定部は、前記第１の光量が前記第１の基準値より小さく、前記光量差が前記第２の基準値より大きいとき、前記表示記録媒体の挿入方向は正しいと判定することを特徴とする請求項４に記載の書込み装置。
【請求項７】
前記先端検出部は、前記光量検出部を兼ねることを特徴とする請求項１に記載の書込み装置。
【請求項８】
所定の位置に一対の受電端子を有する表示記録媒体の先端を検出する先端検出部と、
前記先端検出部によって先端が検出された前記表示記録媒体を判定位置、及び前記判定位置の後段に設けられた書込み位置に搬送する搬送部と、
前記搬送部によって前記判定位置に搬送された前記表示記録媒体の前記一対の受電端子のうち少なくとも一方の受電端子に光を照射してその反射光の光量を検出する光量検出部と、
前記搬送部によって前記書込み位置に搬送された前記表示記録媒体の前記一対の受電端子に接触する一対の給電端子と、
前記一対の給電端子を介して前記一対の受電端子間に電圧を印加する電圧印加部と、
前記書込み位置に位置する前記表示記録媒体に画像データに基づく画像光を照射する光照射部と、
前記光量検出部により検出された前記光量と基準値とを比較し、この比較結果に基づいて前記表示記録媒体の挿入方向の正誤判定を行う判定部と、
前記判定部による判定結果に基づいて、前記表示記録媒体を前記書込み位置の方向、又は前記書込み位置の方向とは逆方向に搬送させるよう前記搬送部を制御する制御部とを備えたことを特徴とする書込み装置。
【請求項９】
前記光量検出部は、前記判定位置に搬送された前記表示記録媒体の前記少なくとも一方の受電端子に対応する位置に設けられた第１の光量検出部と、前記表示記録媒体の前記受電端子とは異なる部分に対応する位置に設けられた第２の光量検出部とを備え、
前記判定部は、前記第１の光量検出部により検出された第１の光量と第１の基準値とを比較し、前記第１の光量と前記第２の光量検出部により検出された第２の光量との光量差と第２の基準値とを比較し、両比較結果に基づいて前記正誤判定を行うことを特徴とする請求項８に記載の書込み装置。
【請求項１０】
前記判定部が前記表示記録媒体の挿入方向エラーと判定したとき、その旨を可視的又は可聴的に報知する報知手段を備えたことを特徴とする請求項１又は８に記載の書込み装置。
【請求項１１】
所定の位置に受電端子を有する表示記録媒体の先端を検出する先端検出ステップと、
前記先端検出ステップにおいて前記表示記録媒体の先端が検出された前記表示記録媒体を搬送する搬送ステップと、
前記先端検出ステップにおいて検出された前記先端から前記表示記録媒体の前記受電端子に対応する部分に光を照射してその反射光の光量を検出する光量検出ステップと、
前記光量検出ステップにおいて検出された前記光量と基準値とを比較し、この比較結果に基づいて前記表示記録媒体の挿入方向の正誤判定を行う判定ステップとを含むことを特徴とする媒体挿入方向の判定方法。
【請求項１２】
前記光量検出ステップは、前記先端検出ステップにおいて検出された前記先端から前記表示記録媒体の前記受電端子に対応する部分、及び前記表示記録媒体の前記受電端子とは異なる部分に対応する部分に光を照射してそれらの反射光の光量を検出することを特徴とする請求項１１に記載の媒体挿入方向の判定方法。
【請求項１３】
前記光量検出ステップは、前記表示記録媒体を搬送中に前記光量を検出することを特徴とする請求項１１に記載の媒体挿入方向の判定方法。
【請求項１４】
前記光量検出ステップは、前記表示記録媒体の停止中に前記光量を検出することを特徴とする請求項１１に記載の媒体挿入方向の判定方法。
【発明の詳細な説明】
【技術分野】
【０００１】
本発明は、表示記録媒体に画像を書き込む書込み装置、及び表示記録媒体の挿入方向を判定する媒体挿入方向の判定方法に関する。
【背景技術】
【０００２】
表示記録媒体として、一対の透明電極間に、液晶からなる表示層と、光の照射によって抵抗値が変化する光導電層とを積層した光書込み型電子ペーパが知られている。
【０００３】
この光書き込み型電子ペーパは、一対の透明電極から導出された一対の受電端子間に電圧を印加するとともに、光導電層に画像信号に応じた画像光を照射することにより、表示層に画像が書き込まれる。従って、光書き込み型電子ペーパは、受電端子及び画像光を照射する書込み面を位置合せする必要がある。
【０００４】
受電端子及び書込み面の位置合せを容易にした従来の書込みシステムとして、例えば、特許文献１に記載されたものが知られている。
【０００５】
この書込みシステムの表示記録媒体は、その表面の一つの長辺近傍と裏面の一つの短辺近傍に光反射率の低い色（例えば黒色）からなる挿入方向識別帯を形成し、その他の領域を光反射率の高い色（例えば白色）で着色したものである。書込み装置に挿入された表示記録媒体の挿入方向識別帯を光センサで検出することにより、装置内に挿入された表示記録媒体の上下（表裏）、左右（前後）の挿入方向の正誤判定を行っている。
【特許文献１】特開２００５−２３１３４２号公報
【発明の開示】
【発明が解決しようとする課題】
【０００６】
本発明の目的は、表示記録媒体の挿入方向の判定用に着色や切欠き等を表示記録媒体に施さなくても、表示記録媒体の挿入方向を判定することが可能な書込み装置及び媒体挿入方向の判定方法を提供することにある。
【課題を解決するための手段】
【０００７】
本発明の一態様は、上記目的を達成するため、以下の書込み装置、及び媒体挿入方向の判定方法を提供する。
【０００８】
［１］所定の位置に一対の受電端子を有する表示記録媒体の先端を検出する先端検出部と、前記先端検出部によって先端が検出された前記表示記録媒体を書込み位置に搬送する搬送部と、前記搬送部によって前記書込み位置に搬送された前記表示記録媒体の前記一対の受電端子に接触する一対の給電端子と、前記一対の給電端子を介して前記一対の受電端子間に電圧を印加する電圧印加部と、前記書込み位置に位置する前記表示記録媒体に画像データに基づく画像光を照射する光照射部と、前記先端検出部による前記表示記録媒体の先端検出時から所定の時間経過したとき、前記表示記録媒体の前記一対の受電端子のうち少なくとも一方の受電端子に光を照射してその反射光の光量を検出する光量検出部と、前記光量検出部により検出された前記光量と基準値とを比較し、この比較結果に基づいて前記表示記録媒体の挿入方向の正誤判定を行う判定部とを備えたことを特徴とする書込み装置。
【０００９】
［２］前記判定部は、前記光量が前記基準値より大きいとき、前記表示記録媒体の挿入方向は正しいと判定することを特徴とする前記［１］に記載の書込み装置。
【００１０】
［３］前記判定部は、前記光量が前記基準値より小さいとき、前記表示記録媒体の挿入方向は正しいと判定することを特徴とする前記［１］に記載の書込み装置。
【００１１】
［４］前記光量検出部は、前記先端検出部による前記表示記録媒体の先端検出時から所定の時間経過したときに第１の光量を検出し、前記第１の光量検出前または後であって前記先端検出時から所定の時間経過したときに第２の光量を検出し、前記判定部は、前記第１の光量と第１の基準値とを比較し、前記第１の光量と前記第２の光量との光量差と第２の基準値とを比較し、両比較結果に基づいて前記正誤判定を行うことを特徴とする前記［１］に記載の書込み装置。
【００１２】
［５］前記判定部は、前記第１の光量が前記第１の基準値より大きく、前記光量差が前記第２の基準値より大きいとき、前記表示記録媒体の挿入方向は正しいと判定することを特徴とする前記［４］に記載の書込み装置。
【００１３】
［６］前記判定部は、前記第１の光量が前記第１の基準値より小さく、前記光量差が前記第２の基準値より大きいとき、前記表示記録媒体の挿入方向は正しいと判定することを特徴とする前記［４］に記載の書込み装置。
【００１４】
［７］前記先端検出部は、前記光量検出部を兼ねることを特徴とする前記［１］に記載の書込み装置。
【００１５】
［８］所定の位置に一対の受電端子を有する表示記録媒体の先端を検出する先端検出部と、前記先端検出部によって先端が検出された前記表示記録媒体を判定位置、及び前記判定位置の後段に設けられた書込み位置に搬送する搬送部と、前記搬送部によって前記判定位置に搬送された前記表示記録媒体の前記一対の受電端子のうち少なくとも一方の受電端子に光を照射してその反射光の光量を検出する光量検出部と、前記搬送部によって前記書込み位置に搬送された前記表示記録媒体の前記一対の受電端子に接触する一対の給電端子と、前記一対の給電端子を介して前記一対の受電端子間に電圧を印加する電圧印加部と、前記書込み位置に位置する前記表示記録媒体に画像データに基づく画像光を照射する光照射部と、前記光量検出部により検出された前記光量と基準値とを比較し、この比較結果に基づいて前記表示記録媒体の挿入方向の正誤判定を行う判定部と、前記判定部による判定結果に基づいて、前記表示記録媒体を前記書込み位置の方向、又は前記書込み位置の方向とは逆方向に搬送させるよう前記搬送部を制御する制御部とを備えたことを特徴とする書込み装置。
【００１６】
［９］前記光量検出部は、前記判定位置に搬送された前記表示記録媒体の前記少なくとも一方の受電端子に対応する位置に設けられた第１の光量検出部と、前記表示記録媒体の前記受電端子とは異なる部分に対応する位置に設けられた第２の光量検出部とを備え、
前記判定部は、前記第１の光量検出部により検出された第１の光量と第１の基準値とを比較し、前記第１の光量と前記第２の光量検出部により検出された第２の光量との光量差と第２の基準値とを比較し、両比較結果に基づいて前記正誤判定を行うことを特徴とする前記［８］に記載の書込み装置。
【００１７】
［１０］前記判定部が前記表示記録媒体の挿入方向エラーと判定したとき、その旨を可視的又は可聴的に報知する報知手段を備えたことを特徴とする前記［１］又は［８］に記載の書込み装置。
【００１８】
［１１］所定の位置に受電端子を有する表示記録媒体を搬送する搬送ステップと、前記表示記録媒体の先端を検出する先端検出ステップと、前記先端検出ステップにおいて検出された前記先端から前記表示記録媒体の前記受電端子に対応する部分に光を照射してその反射光の光量を検出する光量検出ステップと、前記光量検出ステップにおける検出値に基づいて前記表示記録媒体の挿入方向の正誤判定を行う判定ステップとを含むことを特徴とする媒体挿入方向の判定方法。
【００１９】
［１２］前記光量検出ステップは、前記先端検出ステップにおいて検出された前記先端から前記表示記録媒体の前記受電端子に対応する部分、及び前記表示記録媒体の前記受電端子とは異なる部分に対応する部分に光を照射してそれらの反射光の光量を検出することを特徴とする前記［１１］に記載の媒体挿入方向の判定方法。
【００２０】
［１３］前記光量検出ステップは、前記表示記録媒体を搬送中に前記光量を検出することを特徴とする前記［１１］に記載の媒体挿入方向の判定方法。
【００２１】
［１４］前記光量検出ステップは、前記表示記録媒体の停止中に前記光量を検出することを特徴とする前記［１１］に記載の媒体挿入方向の判定方法。
【発明の効果】
【００２２】
請求項１の書込み装置によれば、表示記録媒体の挿入方向の検出用に着色や切欠き等を表示記録媒体に施さなくても、表示記録媒体の挿入方向を判定することが可能になる。
請求項２の書込み装置によれば、請求項１の効果に加えて、受電端子が他の部分より反射率が高い表示記録媒体に対して、表示記録媒体の挿入方向を判定することが可能になる。
請求項３の書込み装置によれば、請求項１の効果に加えて、受電端子が他の部分より反射率が低い表示記録媒体に対して、表示記録媒体の挿入方向を判定することが可能になる。
請求項４の書込み装置によれば、請求項１と比較して高精度に表示記録媒体の挿入方向を判定することが可能になる。
請求項５の書込み装置によれば、請求項４の効果に加えて、受電端子が他の部分より反射率が高い表示記録媒体に対して、表示記録媒体の挿入方向を判定することが可能になる。
請求項６の書込み装置によれば、請求項４の効果に加えて、受電端子が他の部分より反射率が低い表示記録媒体に対して、表示記録媒体の挿入方向を判定することが可能になる。
請求項７の書込み装置によれば、請求項１の効果に加えて、構成を簡素化することができる。
請求項８の書込み装置によれば、表示記録媒体を書込み位置に搬送する前に表示記録媒体の挿入方向を高精度に判定することが可能になる。
請求項９の書込み装置によれば、請求項８と比較して、高精度に表示記録媒体の挿入方向を判定することが可能になる。
請求項１０の書込み装置によれば、請求項８の効果に加えて、利用者の利便性が向上する。
請求項１１の媒体挿入方向の判定方法によれば、表示記録媒体の挿入方向の検出用に着色や切欠き等を表示記録媒体に施さなくても、表示記録媒体の挿入方向を判定することが可能になる。
請求項１２の媒体挿入方向の判定方法によれば、請求項１１と比較して高精度に表示記録媒体の挿入方向を判定することが可能になる。
請求項１３の媒体挿入方向の判定方法によれば、書込み装置の小型化が図れる。
請求項１４の媒体挿入方向の判定方法によれば、表示記録媒体を書込み位置に搬送する前に表示記録媒体の挿入方向を高精度に判定することが可能になる。
【発明を実施するための最良の形態】
【００２３】
本発明の実施の形態に係る書込みシステムは、所定の位置に一対の受電端子が設けられ、一対の受電端子への電圧の印加と画像光の照射によって画像が書き込まれる表示記録媒体と、媒体挿入方向の判定方法が適用され、表示記録媒体に画像を書き込む書込み装置とから構成されている。
【００２４】
一対の受電端子は、長方形を有する表示記録媒体の表面または裏面に設けられ、表示記録媒体の中心からずれた位置に配置されている。これにより、受電端子の位置から表示記録媒体の上下（表裏）、左右（前後）の向き（挿入方向、装着方向）を特定することが可能になる。なお、表示記録媒体は、正方形等の他の形状でもよい。
【００２５】
書込み装置は、表示記録媒体の先端を検出する先端検出部と、先端検出部によって先端が検出された表示記録媒体を書込み位置に搬送する搬送部と、搬送部によって書込み位置に搬送された表示記録媒体の一対の受電端子に接触する一対の給電端子と、一対の給電端子を介して一対の受電端子間に電圧を印加する電圧印加部と、書込み位置に位置する表示記録媒体に画像データに基づく画像光を照射する光照射部と、先端検出部による表示記録媒体の先端検出時から所定の時間経過したとき、表示記録媒体の一対の受電端子のうち少なくとも一方の受電端子に光を照射してその反射光の光量を検出する光量検出部と、光量検出部により検出された光量と基準値とを比較し、この比較結果に基づいて表示記録媒体の挿入方向の正誤判定を行う判定部とを備える。
【００２６】
表示記録媒体の受電端子は、Ni、Au、Ｃｕ、Ａｇ、Al、ＩＴＯ（インジウム錫酸化物）、ステンレス等の導電性材料からなり、表示記録媒体の受電端子以外の表面部分は、樹脂等の非導電性材料からなる。受電端子を構成する導電性材料は、金属系材料であることが特に好ましい。表面性は反射率に与える影響が大きいく、金属材料は、摺擦による表面性・表面粗さの変化が少ない。ゆえに表面性の変化が少ない金属材料を用いると高精度の判定が可能となる。受電端子とその他の表面部分は、材料又は表面粗さの違いから反射率が異なり、光を照射して反射した光の光量が異なる。受電端子は、表示記録媒体の先端が先端検出部によって検出されてからの所定の時間経過したとき、光量検出部による検出位置を通過する。従って、先端検出時から所定の時間経過後に反射光の光量を検出することにより、挿入方向の正誤判定が可能となる。受電端子は、光量検出用と電圧印加用とを兼ねているので、構成の簡素化を図ることができる。
【００２７】
表示記録媒体に光を照射してその反射光を連続的に受光した後、必要な光量検出値を取得してもよく、表示記録媒体に必要なときに光を照射して光量検出値を取得してもよい。
【００２８】
また、書込み位置の前段に判定位置を設け、判定位置に表示記録媒体を停止させ、停止状態の表示記録媒体の受電端子とその他の部分からの反射光の光量を対応する２つの光量検出部を用いてそれぞれ検出してもよい。
【００２９】
［第１の実施の形態］
図１は、本発明の第１の実施の形態に係る書込みシステムを正面から見た断面図、図２は、平面図である。
【００３０】
（書込みシステム）
この書込みシステム１は、画像の書換えが可能な表示記録媒体２と、媒体挿入方向の判定方法が適用され、表示記録媒体２に画像を書き込む書込み装置１００とから構成されている。
【００３１】
（表示記録媒体）
表示記録媒体２は、薄型の略矩形状を有するフレキシブルな記録媒体であり、電圧の印加と画像光の照射によって画像が書き込まれる光書込み型電子ペーパである。表示記録媒体２は、所定の位置に電圧が印加される一対の受電端子２０６Ａ，２０６Ｂと、画像光が照射される書込み領域２ｃとを有する。
【００３２】
受電端子２０６Ａ，２０６Ｂは、Ｃｕ、Ａｇ、ＩＴＯ等の導電性材料からなり、表示記録媒体２の受電端子２０６Ａ，２０６Ｂ以外の表面部分は、ＰＥＴ（ポリエチレンテレフタレート）等の樹脂の非導電性材料からなる。本実施の形態では、受電端子２０６Ａ，２０６Ｂの表面を研磨して受電端子２０６Ａ，２０６Ｂ以外の表面部分よりも反射率を高くしている。
【００３３】
（書込み装置）
書込み装置１００は、下部筐体３と上部筐体４との間に空間５を有し、その空間５の挿入口５ａに挿入された表示記録媒体２の挿入方向が正しいと判定された後、表示記録媒体２に画像を書き込むように構成されている。
【００３４】
下部筐体３は、表示記録媒体２の先端を検出する先端検出部６と、挿入口５ａに挿入された表示記録媒体２を空間５内の書込み位置まで搬送する複数の搬送ローラ７Ａ、７Ｂと、書込み位置で表示記録媒体２の先端が当接するストッパ８と、書込み位置で表示記録媒体２の一対の受電端子２０６Ａ，２０６Ｂに接触する一対の給電端子９Ａ，９Ｂと、表示記録媒体２の書込み領域２ｃに画像光を照射して画像を書き込む光照射部１０と、表示記録媒体２に光を照射し、その反射光の光量を検出する光量検出部３０と、図２に示すように、表示記録媒体２の挿入方向エラー等のメッセージ（報知）をＬＣＤ(Liquid Crystal Display)により表示する報知手段としてのメッセージ表示部１１とを備える。
【００３５】
報知手段としては、上記ＬＣＤの他に、ＬＥＤ等を用いて可視的に報知を行ってもよく、ブザーやスピーカを用いて可聴的に報知を行ってもよい。また、メッセージ（報知）を通信Ｉ／Ｆ２８によりネットワークを介して管理サーバ等に通知してもよい。
【００３６】
上部筐体４は、下部筐体３に設けられた複数の搬送ローラ７Ａ、７Ｂに対向して配置された複数の搬送ローラ７Ｃ、７Ｄが配設されている。搬送ローラ７Ａ〜７Ｄは、筐体３、４から空間５に僅かに突出するように配置され、表示記録媒体２を挟持して搬送するように構成されている。
【００３７】
また、上部筐体４は、表示記録媒体２のジャム等の異常時あるいはメンテナンス時のために、図示しないヒンジにより下部筐体３に対して開閉可能に構成されている。
【００３８】
先端検出部６は、表示記録媒体２に光を照射する発光素子、及び表示記録媒体２で反射した光を受光する受光素子から構成されている。なお、先端検出部６は、発光素子と受光素子を表示記録媒体２の搬送路を介して対向して配置した構成としてもよく、マイクロスイッチや磁気センサ等の他のセンサを用いてもよい。
【００３９】
給電端子９Ａ，９Ｂは、リン青銅、ベリリウム銅等の銅合金やステンレス鋼等の導電性を有するばね材料を用いて形成され、「ヘ」の字形に曲げ加工が施され、膨出点が表示記録媒体２の受電端子２０６Ａ，２０６Ｂに弾性的に接触するように構成されている。
【００４０】
光照射部１０は、表示記録媒体２の書込み領域２ｃと同等の大きさを有し、画像光を書込み領域２ｃに照射するＬＣＤ(Liquid Crystal Display)パネル１１０と、ＬＣＤパネル１１０の背面からバックライト光を照射するバックライト１１１とを備える。
【００４１】
光量検出部３０は、表示記録媒体２に光を照射する発光素子、及び表示記録媒体２で反射した光を受光する受光素子から構成されている。受光素子は、受光した光量に応じた電流の光量検出信号を出力する。受光素子としては、例えば、フォトダイオード、フォトトランジスタ等を用いることができる。また、光量検出部３０は、一対の受電端子２０６Ａ，２０６Ｂのうち一方の受電端子２０６Ａからの反射光を受光できる位置に配置されている。なお、他方の受電端子２０６Ｂからの反射光を受光できる位置に配置されていてもよい。
【００４２】
（表示記録媒体）
図３（ａ），（ｂ）は、それぞれタイプの異なる表示記録媒体の層構成を模式的に表わした図１のＡ−Ａ線断面図である。
【００４３】
図３（ａ）に示す表示記録媒体２は、対向配置されたＰＥＴ（ポリエチレンテレフタレート）フィルムからなる透明の第１および第２の基板２００Ａ，２００Ｂと、第１および第２の基板２００Ａ，２００Ｂの内側に形成されたＩＴＯ（インジウム錫酸化物）からなる透明の第１および第２の電極２０１Ａ，２０１Ｂと、コレステリック液晶が封入されたマイクロカプセル２０２ａを有して構成され、第２の電極２０１Ｂの内側に設けられるとともに、印加される電圧に応じて反射率（透過率）が変化する液晶層２０２と、第１の電極２０１Ａの内側に配置され、光の照射によって抵抗値が小さくなる光導電層２０３と、液晶層２０２と光導電層２０３との間に配置された光吸収層２０４と、第１の電極２０１Ａに接続された受電端子２０６Ａと、第２の電極２０１Ｂに延在部２０７を介して接続された受電端子２０６Ｂとを備える。
【００４４】
光導電層２０３は、電荷輸送層と、この電荷輸送層の両側に積層された一対の電荷発生層とからなる。これにより、液晶層２０２への交流電圧の印加が可能となるため、液晶層２０２の劣化を抑えることができ、駆動電圧の低電圧化、表示記録媒体２の高寿命化を実現することができる。
【００４５】
図３（ｂ）に示す表示記録媒体２は、図３（ａ）に示した表示記録媒体２において、光吸収層２０４を第２の電極２０１Ｂの内側に配設し、液晶層２０２と光導電層２０３の間に隔離層２０５を追加したものであり、その他の構成は図３（ａ）と同様である。
【００４６】
図４は、書込み装置１００の制御系を示す。書込み装置１００は、装置１００全体を制御する制御部２０を有し、この制御部２０に、書込み位置に位置する表示記録媒体２の受電端子２０６Ａ，２０６Ｂに給電端子９Ａ，９Ｂを介して交流のパルス電圧を印加する電圧印加部２１と、光量検出部３０から出力された光量検出信号に基づいて表示記録媒体２の挿入方向の正誤判定を行う判定部２３と、搬送ローラ７Ａ〜７Ｄを回転駆動して表示記録媒体２を搬送する搬送駆動部２４と、ＬＣＤパネル１１０に画像データに応じた駆動信号を供給するＬＣＤパネル駆動部２５と、バックライト１１１を点灯するバックライト点灯部２６と、表示記録媒体２に書き込むべき画像データを記憶する画像データ記憶部２７と、インターネット、ＬＡＮ(Local Area Network)等のネットワークに接続された通信インタフェース（Ｉ／Ｆ）２８とを各々接続している。また、制御部２０に前述した先端検出部６及びメッセージ表示部１１を接続している。
【００４７】
搬送駆動部２４は、搬送ローラ７Ａ，７Ｂを回転駆動する図示しないモータを備える。搬送ローラ７Ａ〜７Ｄは、モータからの駆動力を搬送ベルト等を介して伝達されるようにしてもよい。なお、搬送駆動部２４、搬送ローラ７Ａ〜７Ｄ及びモータは、搬送部を構成する。
【００４８】
表示記録媒体２の受電端子２０６Ａからの反射光を受光したときの光量検出電圧をＲ２、光量検出電圧Ｒ２に対応する基準値をｒｔｈ、表示記録媒体２の受電端子２０６Ａ以外の表面部分からの反射光を受光したときの光量検出電圧をＲ１、Ｒ２とＲ１の光量検出電圧差をΔＲ、光量検出電圧差ΔＲに対応する基準値をΔｒｔｈとした場合に、判定部２３は、以下の関係を満たすとき、表示記録媒体２の挿入方向は正しいと判定する。
（１）Ｒ２＞ｒｔｈ
（２）Ｒ２−Ｒ１＝ΔＲ＞Δｒｔｈ
【００４９】
制御部２０は、ＣＰＵ、ＲＡＭ、ＲＯＭ、ＨＤＤ等を用いて構成されており、ＨＤＤ、ＲＯＭ等には、媒体挿入方向の判定方法を実行するためのプログラムを含むＣＰＵの各種のプログラムが格納されている。プログラムは、ＣＤ−ＲＯＭ等の記録メディアから書込み装置１００内に取り込んでもよく、ネットワークを介して書込み装置１００内に取り込んでもよい。
【００５０】
図５は、判定部２３のブロック図である。判定部２３は、光量検出部３０からの電流による光量検出信号を電圧による光量検出信号に変換する電流電圧変換回路（Ｉ／Ｖ）２３０と、制御部２０からのタイミング信号に応じて電流電圧変換回路２３０の出力信号（Ｒ１、Ｒ２）をサンプリングして出力するサンプルホールド回路２３１と、制御部２０からの切替信号に応じてサンプルホールド回路２３１の出力先を切り替える切替回路２３２と、切替回路２３２から出力された信号の電圧Ｒ２が基準電源２３４Ａの基準値ｒｔｈより大きいとき、Ｈレベルの信号を出力する比較回路２３５Ａと、切替回路２３２からの信号の電圧Ｒ２と電圧Ｒ１との電圧差ΔＲを得る減算回路２３３と、電圧差ΔＲが基準電源２３４Ｂの基準値Δｒｔｈより大きいとき、Ｈレベルの信号を出力する比較回路２３５Ｂと、両比較回路２３５Ａ，２３５ＢからＨレベルの信号が出力されたとき、Ｈレベルの信号を制御部２０に出力するＡＮＤ回路２３６とを備える。
【００５１】
（第１の実施の形態の動作）
次に、本実施の形態の書込みシステム１Ａの動作を図６、図７を参照して説明する。
【００５２】
図６（ａ）〜（ｄ）は、表示記録媒体の挿入方向の種類を示し、（ａ）は、表示記録媒体が正常に挿入された場合、（ｂ）〜（ｄ）は、挿入方向が誤っている場合であり、（ｂ）は、裏面２ｂを上側にして挿入した場合、（ｃ）は、後部を先頭にして挿入した場合、（ｄ）は、裏面２ｂを上側にし、後部を先頭にして挿入した場合を示す。図７は、光量検出電圧のパターンを示す。なお、図７中、時刻ｔ２は、時刻ｔ１とｔ３の中間の時刻であり、時刻ｔ４は、時刻ｔ３とｔ５の中間の時刻である。
【００５３】
ユーザが、表示記録媒体２を挿入口５ａに挿入する。本実施の形態では、表示記録媒体２の給電端子２０６Ａ，２０６Ｂが露出している面（裏面２ｂ）が下側となり、給電端子２０６Ａ，２０６Ｂが先頭側（前）となる方向が正しい挿入方向となる。
【００５４】
先端検出部６が表示記録媒体２の先端を検出すると、先端検出信号を制御部２０に送る。制御部２０は、先端検出信号を受信すると、搬送駆動部２４を制御して搬送ローラ７Ａ〜７Ｄを回転させて表示記録媒体２を搬送させる。搬送駆動部２４は、一定時間搬送ローラ７Ａ〜７Ｄを回転させる。表示記録媒体２は、その先端がストッパ８に当接して書込み位置に停止する。表示記録媒体２が書込み位置に停止すると、表示記録媒体２の受電端子２０６Ａ，２０６Ｂは、給電端子９Ａ，９Ｂに接触する。
【００５５】
光量検出部３０は、図７に示すように、先端検出部６が表示記録媒体２の先端を検出した先端検出時ｔ０から所定の時間光量の検出を行い、その光量検出信号を判定部２３に出力する。
【００５６】
判定部２３の電流電圧変換回路（Ｉ／Ｖ）２３０は、光量検出部３０からの電流による光量検出信号を電圧の光量検出信号に変換する。制御部２０は、図７に示すように、先端検出時ｔ０からの時間Ｔ１、Ｔ２に対応するタイミング信号をサンプルホールド回路２３１に送信し、サンプルホールド回路２３１は、電流電圧変換回路（Ｉ／Ｖ）２３０から出力される光量検出信号から時間Ｔ１、Ｔ２に対応する時刻ｔ２、ｔ４の光量検出電圧Ｒ１、Ｒ２をサンプリングして出力する。
【００５７】
切替回路２３２は、制御部２０からの切替信号に応じてサンプルホールド回路２３１の出力先を切り替える。すなわち、制御部２０は、光量検出信号（電圧Ｒ１）がサンプルホールド回路２３１によりサンプリングされるタイミングに同期して出力先を減算回路２３３に切り替え、また、光量検出信号（電圧Ｒ２）がサンプルホールド回路２３１によりサンプリングされるタイミングに同期して出力先を比較回路２３５Ａに切り替える。減算回路２３３は、切替回路２３２からの電圧Ｒ２と電圧Ｒ１との電圧差ΔＲを求める。
【００５８】
比較回路２３５Ａは、切替回路２３２から出力された光量検出信号の電圧Ｒ２が基準電源２３４Ａの基準値ｒｔｈより大きいとき、Ｈレベルの信号を出力する。比較回路２３５Ｂは、電圧差ΔＲが基準電源２３４Ｂの基準値Δｒｔｈより大きいとき、Ｈレベルの信号を出力する。ＡＮＤ回路２３６は、両比較回路２３５Ａ，２３５ＢからＨレベルの信号が出力されたとき、Ｈレベルの信号を制御部２０に出力し、その他の場合はＬレベルの信号を制御部２０に出力する。すなわち、判定部２３は、上記関係式（１）及び（２）が満たされたとき、挿入方向が正しいことを制御部２０に通知する。その他の場合は、挿入方向エラーを通知する。
【００５９】
制御部２０は、判定部２３により挿入方向が正しいと判定されたとき、後述するように画像書込み動作を行う。
【００６０】
例えば、図６（ａ）に示すように、表示記録媒体２を正しい挿入方向で挿入した場合は、給電端子９Ａ，９Ｂが受電端子２０６Ａ，２０６Ｂに接触する。
【００６１】
これに対し、表示記録媒体２の挿入方向が誤っている場合、すなわち、図６（ｂ）に示すように、表示記録媒体２を表裏を逆にして挿入した場合、図６（ｃ）に示すように、表示記録媒体２を後部を先頭にして挿入した場合は、図６（ｄ）に示すように、表示記録媒体２を表裏を逆にし、後部を先頭にして挿入した場合は、上記関係式（１）、（２）を満たさないため、制御部２０は、例えば、メッセージ表示部１１に表示記録媒体２の挿入方向の確認を促すメッセージを表示し、搬送駆動部２４を制御して搬送ローラ７Ａ〜７Ｄを逆転させ、表示記録媒体２を挿入口５ａ側に排出する。
【００６２】
（画像書込み動作）
ここで、画像書込み動作について説明する。制御部２０は、画像データを画像データ記憶部２７から読み出し、書込み制御を行う。すなわち、電圧印加部２１は、制御部２０の制御により、給電端子９Ａ，９Ｂを介して受電端子２０６Ａ，２０６Ｂ間に電圧を印加する。また、ＬＣＤパネル駆動部２５は、制御部２０の制御により、画像データに応じた駆動信号をＬＣＤパネル１１０に供給する。ＬＣＤパネル１１０は、ＬＣＤパネル駆動部２５からの駆動信号に基づいて画像光１１２を表示記録媒体２に照射する。
【００６３】
画像光１１２が表示記録媒体２に照射すると、図３（ａ）に示す表示記録媒体２では、画像光１１２が、第１の基板２００Ａおよび第１の電極２０１Ａを透過し、光導電層２０３に到達する。
【００６４】
光導電層２０３は、光が照射された部分の抵抗値が小さくなり、それにより、光導電層２０３とのインピーダンス比で決まる液晶層２０２の分圧が増加し、液晶層２０２における光反射率が大きくなる。従って、画像の書込みが終了した後、表示記録媒体２の表面２ａに照明光が照射された場合に、液晶層２０２の光が照射された領域は、反射率が大きくなるために照明光が反射して白く見え、光が照射されなかった領域は、照明光が液晶層２０２を透過して光吸収層２０４で吸収されるために黒く見える。これを視線Ｅの方向から画像として見ることができる。この画像は、第１および第２の電極２０１Ａ，２０１Ｂへの電圧印加が消失した後でも、長時間保持される。
【００６５】
図３（ｂ）に示す表示記録媒体２の場合は、画像光１１２は、第１の基板２００Ａ、第１の電極２０１Ａ、液晶層２０２および隔離層２０５を順次透過し、光導電層２０３に到達する。
【００６６】
光導電層２０３は、光が照射された部分の抵抗値が小さくなり、それにより、光導電層２０３とのインピーダンス比で決まる液晶層２０２の分圧が増加し、液晶層２０２における光反射率が大きくなる。従って、表示記録媒体２の裏面２ｂに照明光が照射された場合、光が照射された領域は液晶層２０２で反射して白く見え、光が照射されていない領域は液晶層２０２を透過して光吸収層２０４で吸収されるために黒く見える。これを視線Ｅの方向から画像として見ることができる。この画像は、第１および第２の電極２０１Ａ，２０１Ｂへの電圧印加が消失した後でも、長時間保持される。
【００６７】
制御部２０は、表示記録媒体２への画像の書込みが終了すると、搬送駆動部２４を制御して搬送ローラ７Ａ〜７Ｄを逆転させ、表示記録媒体２を挿入口５ａ側に排出する。
【００６８】
［第１の実施の形態の変形例］
図８は、第１の実施の形態の変形例の表示記録媒体２を用いた場合の光量検出電圧を示す。この表示記録媒体２は、受電端子２０６Ａ，２０６Ｂの反射率を他の表面部分よりも低くなるようにしたものである。例えば、受電端子２０６Ａ，２０６Ｂの表面を粗くして反射率を低くしてもよい。また、表示記録媒体２の受電端子２０６Ａ，２０６Ｂ以外の表面部分を反射率の高い材料、例えば、表面粗さが小さく、光沢を有する材料を用いてもよい。
【００６９】
このように構成された表示記録媒体２を用いることにより、図８に示すように、表示記録媒体２の受電端子２０６Ａ，２０６Ｂ以外の表面部分の光量検出電圧Ｒ１は、受電端子２０６Ａ，２０６Ｂの光量検出電圧Ｒ２よりも高くなる。
【００７０】
本変形例の場合は、判定部２３は、以下の関係を満たすとき、挿入方向が正しいと判定する。
（１）Ｒ２＜ｒｔｈ
（２）Ｒ２−Ｒ１＝ΔＲ＞Δｒｔｈ
【００７１】
また、比較回路２３５Ａは、切替回路２３２から出力された光量検出信号の電圧Ｒ２が基準電源２３４Ａの基準値ｒｔｈより小さいとき、Ｈレベルの信号を出力し、比較回路２３５Ｂは、電圧差ΔＲが基準電源２３４Ｂの基準値Δｒｔｈより大きいとき、Ｈレベルの信号を出力することにより、第１の実施の形態と同様に表示記録媒体２の挿入方向の正誤判定を行うことができる。
【００７２】
［第２の実施の形態］
図９は、本発明の第２の実施の形態の書込みシステムを正面から見た断面図、図１０は、平面図である。
【００７３】
本実施の形態の書込みシステム１は、第１の実施の形態の書込み装置１００の先端検出部６と光量検出部３０を共用化したものである。すなわち、本実施の形態の書込み装置１００は、給電端子９Ａ，９Ｂ側に配置していた光量検出部３０を挿入口５ａ側に配置し、先端検出部６を省略したものである。本実施の形態の光量検出部３０は、第１の実施の形態と同様に、受電端子２０６Ａからの反射光を検出できるように配置されている。
【００７４】
図１１は、本実施の形態の光量検出電圧のパターンを示す。光量検出電圧のパターンは、図７と比較して時刻ｔ０〜ｔ１の区間が無いだけで、他は同様となり、第１の実施の形態と同様に、表示記録媒体の挿入方向の正誤判定を行うことができる。
【００７５】
［第３の実施の形態］
図１２は、本発明の第３の実施の形態に係る書込みシステムを正面から見た断面図、図１３は、平面図である。
【００７６】
本実施の形態の書込みシステムは、第１の実施の形態の書込み装置１００において、表示記録媒体２を書込み位置に搬送する前に挿入方向を判定できるように書込み装置１００を構成したものである。
【００７７】
この書込み装置１００は、第１の実施の形態において、書込み位置の前段の挿入方向判定位置で表示記録媒体２を停止させるために、ソレノイド等によって回転駆動されるストッパ１８と、挿入方向判定位置に停止した表示記録媒体２の受電端子２０６Ａからの反射光を検出する光量検出部３０Ａと、表示記録媒体２の受電端子２０６Ａ，２０６Ｂ以外の表面部分からの反射光を検出する光量検出部３０Ｂと備え、さらに、上部筐体４に搬送ローラ７Ｅ，７Ｆを付加し、書込み位置側に配置されていた光量検出部３０を省略したものである。下部筐体３には、ストッパ１８の回転を可能とする開口４ａが形成されている。
【００７８】
図１４は、書込み装置１００の制御系を示す。書込み装置１００は、装置１００全体を制御する制御部２０を有し、この制御部２０に、２つの光量検出部３０Ａ、３０Ｂから出力された光量検出信号に基づいて表示記録媒体２の挿入方向の正誤判定を行う判定部２３と、搬送ローラ７Ａ〜７Ｆを回転駆動して表示記録媒体２を搬送するとともに、ストッパ１８をソレノイド等により回転させる搬送駆動部２４とを接続し、さらに第１の実施の形態と同様に、先端検出部６、メッセージ表示部１１、電圧印加部２１、ＬＣＤパネル駆動部２５、バックライト点灯部２６、画像データ記憶部２７、および通信インタフェース（Ｉ／Ｆ）２８を各々接続している。
【００７９】
図１５は、判定部２３のブロック図である。判定部２３は、受電端子２０６Ａに対応して配置された光量検出部３０Ａからの電流による光量検出信号を電圧による光量検出信号に変換する電流電圧変換回路（Ｉ／Ｖ）２３０Ａと、受電端子２０６Ａ，２０６Ｂ間に対応して配置された光量検出部３０Ｂからの電流による光量検出信号を電圧による光量検出信号に変換する電流電圧変換回路（Ｉ／Ｖ）２３０Ｂと、Ｉ／Ｖ２３０Ａから出力された信号の電圧Ｒ２が基準電源２３４Ａの基準値ｒｔｈより大きいとき、Ｈレベルの信号を出力する比較回路２３５Ａと、Ｉ／Ｖ２３０Ａからの信号の電圧Ｒ２とＩ／Ｖ２３０Ｂからの信号の電圧Ｒ１との電圧差ΔＲを得る減算回路２３３と、電圧差ΔＲが基準電源２３４Ｂの基準値Δｒｔｈより大きいとき、Ｈレベルの信号を出力する比較回路２３５Ｂと、両比較回路２３５Ａ，２３５ＢからＨレベルの信号が出力されたとき、Ｈレベルの信号を制御部２０に出力するＡＮＤ回路２３６とを備える。
【００８０】
（第３の実施の形態の動作）
次に、第３の実施の形態の動作について説明する。
【００８１】
ユーザが、表示記録媒体２を挿入口５ａに挿入する。本実施の形態では、表示記録媒体２の給電端子２０６Ａ，２０６Ｂが露出している面（裏面２ｂ）が下側となり、給電端子２０６Ａ，２０６Ｂが先頭側（前）となる方向が正しい挿入方向となる。
【００８２】
先端検出部６が表示記録媒体２の先端を検出すると、先端検出信号を制御部２０に送る。制御部２０は、先端検出信号を受信すると、搬送駆動部２４を制御して搬送ローラ７Ａ〜７Ｄを回転させて表示記録媒体２を搬送させる。搬送駆動部２４は、一定時間搬送ローラ７Ａ〜７Ｄを回転させる。表示記録媒体２は、その先端がストッパ１８に当接して挿入方向判定位置に停止する。
【００８３】
光量検出部３０Ａの発光素子は、受電端子２０６Ａに光を照射し、その反射光を受光素子で検出し、光量に応じた光量検出信号を判定部２３に出力する。光量検出部３０Ｂの発光素子は、受電端子２０６Ａ，２０６Ｂ間に光を照射し、その反射光を受光素子で検出し、光量に応じた光量検出信号を判定部２３に出力する。
【００８４】
判定部２３のＩ／Ｖ２３０Ａは、光量検出部３０Ａからの電流による光量検出信号を電圧Ｒ２の光量検出信号に変換して比較回路２３５Ａに出力する。Ｉ／Ｖ２３０Ｂは、光量検出部３０Ｂからの電流による光量検出信号を電圧Ｒ１の光量検出信号に変換して減算回路２３３に出力する。減算回路２３３は、切替回路２３２からの電圧Ｒ２と電圧Ｒ１との電圧差ΔＲを求める。
【００８５】
比較回路２３５Ａは、Ｉ／Ｖ２３０Ａから出力された光量検出信号の電圧Ｒ２が基準電源２３４Ａの基準値ｒｔｈより大きいとき、Ｈレベルの信号を出力する。比較回路２３５Ｂは、減算回路２３３からの電圧差ΔＲが基準電源２３４Ｂの基準値Δｒｔｈより大きいとき、Ｈレベルの信号を出力する。ＡＮＤ回路２３６は、両比較回路２３５Ａ，２３５ＢからＨレベルの信号が出力されたとき、Ｈレベルの信号を制御部２０に出力し、その他の場合はＬレベルの信号を制御部２０に出力する。
【００８６】
制御部２０は、判定部２３により挿入方向が正しいと判定されたとき、搬送駆動部２４によりストッパ１８を回転させ、表示記録媒体２を書込み位置に搬送させて第１の実施の形態と同様に画像書込み動作を行う。
【００８７】
これに対し、上記関係式（１）、（２）を満たさないため、表示記録媒体２の挿入方向が誤っている場合、制御部２０は、例えば、メッセージ表示部１１に表示記録媒体２の挿入方向の確認を促すメッセージを表示し、搬送駆動部２４を制御して搬送ローラ７Ａ〜７Ｆを逆転させ、表示記録媒体２を挿入口５ａ側に排出する。
【００８８】
［他の実施の形態］
なお、本発明は、上記各実施の形態に限定されず、その要旨を変更しない範囲内で種々な変形が可能である。また、本発明の要旨を変更しない範囲内で各実施の形態の構成要素を任意に組み合わせることができる。
【００８９】
表示記録媒体２は、サイズはＡ４、Ａ５等のノートサイズでもよく、名刺等のカードサイズでもよい。また、ＲＦＩＤタグ、接触式ＩＣタグ等を備えたものでもよい。この場合は、書込み装置側にタグのリーダライタを有する。
【００９０】
また、判定部２３による比較及び判定、または判定のみを制御部２０のＣＰＵが行ってもよい。
【００９１】
上記実施の形態では、一方の受電端子からの反射光を検出したが、両方の受電端子からの反射光を検出し、その検出値を平均化した値に基づいて判定を行ってもよい。
【図面の簡単な説明】
【００９２】
【図１】本発明の第１の実施の形態に係る書込みシステムを正面から見た断面図である。
【図２】本発明の第１の実施の形態に係る書込みシステムの平面図である。
【図３】（ａ），（ｂ）は、それぞれタイプの異なる表示記録媒体の層構成を模式的に表わした図２のＡ−Ａ線断面図である。
【図４】本発明の第１の実施の形態に係る書込み装置の制御系を示すブロック図である。
【図５】本発明の第１の実施の形態に係る判定部のブロック図である。
【図６】表示記録媒体の挿入方向の種類を示し、（ａ）は、表示記録媒体が正常に挿入された場合、（ｂ）〜（ｄ）は、挿入方向が誤っている場合であり、（ｂ）は、裏面を上側にして挿入した場合、（ｃ）は、後部を先頭にして挿入した場合、（ｄ）は、裏面を上側にし、後部を先頭にして挿入した場合を示す図である。
【図７】本発明の第１の実施の形態に係る光量検出部による光量検出信号を電圧に変換した光量検出電圧を示す図である。
【図８】本発明の第１の実施の形態の変形例の表示記録媒体を用いた場合の光量検出電圧を示す図である。
【図９】本発明の第２実施の形態に係る書込みシステムを正面から見た断面図である。
【図１０】本発明の第２実施の形態に係る書込みシステムの平面図である。
【図１１】本発明の第２の実施の形態に係る光量検出部による光量検出信号を電圧に変換した光量検出電圧を示す図である。
【図１２】本発明の第３実施の形態に係る書込みシステムを正面から見た断面図である。
【図１３】本発明の第３実施の形態に係る書込みシステムの平面図である。
【図１４】本発明の第３の実施の形態に係る書込み装置の制御系を示すブロック図である。
【図１５】本発明の第３の実施の形態に係る判定部のブロック図である。
【符号の説明】
【００９３】
１  書込みシステム
２  表示記録媒体
２ａ  表面
２ｂ  裏面
２ｃ  書込み領域
３  下部筐体
３ａ  挿入口
４  上部筐体
５  空間
５ａ  挿入口
６  先端検出部
７Ａ〜７Ｆ  搬送ローラ
８，１８  ストッパ
９Ａ，９Ｂ  給電端子
１０  光照射部
１１  メッセージ表示部
２０  制御部
２１  電圧印加部
２２  電流検出部
２３  判定部
２４  搬送駆動部
２５  ＬＣＤパネル駆動部
２６  バックライト点灯部
２７  画像データ記憶部
２８  通信Ｉ／Ｆ
２９  装着判定部
３０，３０Ａ，３０Ｂ  光量検出部
１００  書込み装置
１１０  ＬＣＤパネル
１１１  バックライト
１１２  画像光
２００Ａ，２００Ｂ  基板
２０１Ａ，２０１Ｂ  電極
２０２  液晶層
２０２ａ  マイクロカプセル
２０３  光導電層
２０４  光吸収層
２０５  隔離層
２０６Ａ，２０６Ｂ  受電端子
２０７  延在部
２３０，２３０Ａ，２３０Ｂ  電流電圧変換回路（Ｉ／Ｖ）
２３１  サンプルホールド回路
２３２  切替回路
２３３  減算回路
２３４Ａ，２３４Ｂ  基準電源
２３５Ａ，２３５Ｂ  比較回路
２３６  ＡＮＤ回路
【図１】
2007334234.tif 000003
【図２】
2007334234.tif 000004
【図３】
2007334234.tif 000005
【図４】
2007334234.tif 000006
【図５】
2007334234.tif 000007
【図６】
2007334234.tif 000008
【図７】
2007334234.tif 000009
【図８】
2007334234.tif 000010
【図９】
2007334234.tif 000011
【図１０】
2007334234.tif 000012
【図１１】
2007334234.tif 000013
【図１２】
2007334234.tif 000014
【図１３】
2007334234.tif 000015
【図１４】
2007334234.tif 000016
【図１５】
2007334234.tif 000017